(57)【要約】      （修正有）【課題】部品点数を削減し、コストを抑制すると共に、パネル支持部材の回り止めを確実になすことができるフロアパネルの支持脚を提供する。【解決手段】基台２と、パネル支持部材１０と、パネルフィックス２１と、緩み止めネジ２８とからなる。基台２は、外周に雄ネジ６が設けられる支柱４と、支柱４が略中央部に立設される固定基板３とよりなる。パネル支持部材１０は、雄ネジ６に螺合する雌ネジ部９が設けられた筒状部１１と、筒状部１１が貫通するパネルサポート８と、筒状部の外周面に設けられる雄ネジ部１２とよりなる。パネルフィックス２１は、雄ネジ部１２に着脱自在に螺合し、緩み止めネジ２８は、筒状部１１の上端側から雌ネジ部９に螺合可能である。【選択図】図１
0003180796.tif 000002
【実用新案登録請求の範囲】
【請求項１】
外周の一部又は全体に雄ネジが設けられる支柱と、該支柱が略中央部に立設される固定基板と、よりなる基台と、
前記支柱の雄ネジに高さ調節可能に螺合する雌ネジ部が設けられた筒状部と、該筒状部の外周面から水平方向に延設して、上面にフロアパネルが載置されるパネルサポートとが一体的に設けられ、該パネルサポートの上面より突出した前記筒状部の上方外周面に設けられる雄ネジ部と、よりなるパネル支持部材と、
前記筒状部の上方外周面の雄ネジ部に着脱自在に螺合し、前記フロアパネルをパネル支持方向へ押圧・固定するパネルフィックスと、
前記パネルサポートの上面より突出した筒状部の上端側から前記雌ネジ部に螺合可能な緩み止めネジと、からなり、
前記支柱の上端面と緩み止めネジの下端面とを当接するように締め付けることを特徴とする、フロアパネルの支持脚。
【請求項２】
合成樹脂製で、フロアパネル載置面と、該フロアパネル載置面の四辺より垂下する壁面とよりなり、該壁面の内方より突出する係止爪が、前記フロアパネル載置面には前記パネル支持部材の雄ネジ部を挿通可能な挿通孔及び前記フロアパネル隅部に当接する位置決め突起が、それぞれ形成されるカバー材で、パネルサポート上面及び側面を覆い、前記係止爪でパネルサポート下面に係合することを特徴とする、請求項１記載のフロアパネルの支持脚。
【請求項３】
前記カバー材に形成される前記位置決め突起を、隣り合う前記フロアパネルの隅部により形成される円形状の開口の円周の外側に連接して設けられる隙間に入り込むように突設される隙間埋め突部と、前記円形状の開口と、前記パネルフィックス上部に形成される顎部を収容すべく段差状に形成されるフランジ部とを連結する壁部のフロアパネル裏面側に当接する当接突部とより構成することを特徴とする、請求項１又は２記載のフロアパネルの支持脚。
【考案の詳細な説明】
【技術分野】
【０００１】
本考案は、床面上の所望高さに複数のフロアパネルを支持・固定し、これらのフロアパネルによって二重床を構成するためのフロアパネルの支持脚に関するものである。
【背景技術】
【０００２】
方形のフロアパネルを床面上の所望高さに支持し、複数のフロアパネルの隣接する隅部を所望高さに支持・固定するためのフロアパネルの支持脚は、種々提案されている。
【０００３】
例えば特許文献１においては、支持脚上に床パネルの隅部を載置し、その隅部の上面を支持脚に螺着されるロックナットにより下方に押圧して床パネルを支持脚上に挟圧固定するようにした床パネル支持装置であって、ロックナットが、円板形状の顎部と、その顎部の下面に設けられて近接する隅部同士の縁部分に係合して回動を規制する回動規制手段と、その顎部の下面側に一体的に設けられて支持脚に螺合する円筒部とを具備してなる構成のものが見られ、昇降体が、ベースの起立ボルトに螺合させたナットと、底部をこのナットに固設したカップ状のパネル受板からなり、ロックナットをこの昇降体に昇降可能に螺着するようにした実施例が記載されている。
【先行技術文献】
【特許文献】
【０００４】
【特許文献１】特開平０７−３１７２８２号公報
【考案の概要】
【考案が解決しようとする課題】
【０００５】
特許文献１の構成においては、ナットの上面に起立ボルトの外径より大なる内径で、外周面におねじ部が形成された筒部を具備し、昇降体のパネル受け板の底部に固設するが、このようなナットは製作に手間がかかるため、コストがかさむという問題がある。またパネル受け板とナットとは固設前は別部品であることから、部品管理が必要とされるため、人員やコストがかかるという問題がある。
【０００６】
更に、パネル受け板を適当な高さに設定しても、パネル受け板の回転を押さえる手段を有していないので、パネル敷設中に、パネル受け板を誤って蹴ってしまうなどにより高さが変わってしまうという問題がある。
【０００７】
本考案は、上記事情に鑑みてなされたもので、製作の手間がかからず、かつ部品点数減により管理コストを低減することのできるフロアパネルの支持脚の提供を目的とする。
【０００８】
加えて、容易な操作により設置高さ決定後のパネル支持部材のみだりな回転を抑え、施工の効率を良くしたフロアパネルの提供を目的とする。
【課題を解決するための手段】
【０００９】
上記課題を解決するため、本考案に係るフロアパネルの支持脚は、外周の一部又は全体に雄ネジが設けられる支柱と、該支柱が略中央部に立設される固定基板と、よりなる基台と、  前記支柱の雄ネジに高さ調節可能に螺合する雌ネジ部が設けられた筒状部と、該筒状部の外周面から水平方向に延設して、上面にフロアパネルが載置されるパネルサポートとが一体的に設けられ、該パネルサポートの上面より突出した前記筒状部の上方外周面に設けられる雄ネジ部と、よりなるパネル支持部材と、  前記筒状部の上方外周面の雄ネジ部に着脱自在に螺合し、前記フロアパネルをパネル支持方向へ押圧・固定するパネルフィックスと、  前記パネルサポートの上面より突出した筒状部の上端側から前記雌ネジ部に螺合可能な緩み止めネジと、からなり、  前記支柱の上端面と緩み止めネジの下端面とを当接するように締め付けることを特徴とする（請求項１）。このように、パネルサポートと、ナットに相当する筒状部とを一体化したことで、部品点数が削減され、管理コストの低減を見込むことができる。更に、フロアパネルの床高を設計通りとなるようにパネル支持部材の高さを調整後、緩み止めネジを締め付ける事によりパネル支持部材のみだりな回転、すなわち床高のずれを防止することができる。
【００１０】
更に、合成樹脂製で、フロアパネル載置面と、該フロアパネル載置面の四辺より垂下する壁面とよりなり、該壁面の内方より突出する係止爪が、前記フロアパネル載置面には前記パネル支持部材の雄ネジ部を挿通可能な挿通孔及び前記フロアパネル隅部に当接する位置決め突起が、それぞれ形成されるカバー材で、パネルサポート上面及び側面を覆い、前記係止爪でパネルサポート下面に係合することが望ましい（請求項２）。このようなカバー材を使用することで、隣り合うフロアパネル同士の位置関係を容易に調整することができる。また、合成樹脂製のカバー材を使用することで、緩衝効果を発揮し、フロアパネル上の歩行音の低減を図ることができる。
【００１１】
また、前記カバー材に形成される前記位置決め突起を、隣り合う前記フロアパネルの隅部により形成される円形状の開口の円周の外側に連接して設けられる隙間に入り込むように突設される隙間埋め突部と、前記円形状の開口と、前記パネルフィックス上部に形成される顎部を収容すべく段差状に形成されるフランジ部とを連結する壁部のフロアパネル裏面側に当接する当接突部とより構成することが望ましい（請求項３）。このように構成することで、フロアパネルの載置位置を素早く決定することができると共に、フロアパネルの位置ずれを防止することができる。
【考案の効果】
【００１２】
本考案のフロアパネルの支持脚は、上記のように構成されていることから、下記のような効果を期待できる。
【００１３】
（１）パネル支持脚を構成する部品点数を削減することにより、管理が容易となり、コスト削減を図ることができる。
【００１４】
（２）緩み止めネジをパネル支持部材の筒状部の上方から螺合させるようにしたことで、容易な作業でフロアパネル床高のずれ止めを図ることができる。
【００１５】
（３）カバー材に設けられた係止爪により、パネルサポートへの取り付けを容易にすることができる。また、カバー材のパネル載置面に設けられた位置決め突起により、隣り合うフロアパネル同士の位置関係を容易に調整することができる。更に、カバー材を合成樹脂製とすることで、緩衝効果を発揮し、フロアパネル上の歩行音の低減を図ることができる。
【００１６】
（４）カバー材に形成される位置決め突起を、隙間埋め突部及び当接突部とで構成することにより、フロアパネルを支持脚上に載置する際の位置決めが容易となる。また、載置後のフロアパネルの位置ずれを確実に防止することができる。
【図面の簡単な説明】
【００１７】
【図１】図１は本考案に係るフロアパネルの支持脚の一部切開分解斜視図である。（実施例１）
【図２】図２は本考案に係るフロアパネルの支持脚の緩み止めネジ取付前の状態を示す斜視図である。（実施例１）
【図３】図３は本考案に係るフロアパネルの支持脚上のパネル支持部材上にフロアパネルを載置した状態を示す一部切開斜視図である。（実施例１）
【図４】図４は本考案に係るフロアパネルの支持脚のパネル支持部材上にフロアパネルを載置・固定した状態を示す一部切開斜視図である。（実施例１）
【図５】図５は本考案に係るフロアパネルの支持脚の一部切開分解斜視図である。（実施例２）
【図６】図６は本考案に係るフロアパネルの支持脚の緩み止めネジ取付前の状態を示す斜視図である。（実施例２）
【図７】図７は本考案に係るフロアパネルの支持脚の位置決め突起周辺を詳細に示す一部切開斜視図である。（実施例２）
【考案を実施するための形態】
【００１８】
以下に、本考案に係るフロアパネルの支持脚の実施形態を、添付図面に基づいて詳細に説明する。
【実施例１】
【００１９】
本考案の実施例１の構成は、図１乃至図４に示される。本考案のフロアパネルの支持脚１の基台２は、床面上に接着剤やアンカーボルト等により固定される固定基板３と、固定基板３に固定された支柱４とを有する。支柱４の基端部は固定基板３の中央に形成された孔５に挿入され、溶接により固定基板３と結合されている。これにより、固定基板３と支柱４の相対的な回転を防止している。必要に応じて、固定基板３と支柱４の基端部との接合はかしめ等、その他の接合手段によっても良い。
【００２０】
パネル支持部材１０は、アルミ等のダイキャスト製で、パネルサポート８の中央付近に筒状部１１を一体的に形成しており、筒状部１１内面には支柱４の周面に設けられる雄ネジ６と高さ調節可能に螺合する雌ネジ部９が設けられている。また、筒状部１１の上端部は、その他の部分よりも径大に形成され、後述するパネルフィックス２１と螺合可能な雄ネジ部１２が形成される。パネルサポート８は、略正方形の板状に形成され、強度を保持するために筒状部１１のパネルサポート８との接合部には周状リブ部１３と、パネルサポート８の対角にわたり、パネルサポート８の角部（裏面側）と筒状部１１の下端部とを結んで形成される補強リブ１４が形成されている。補強リブ１４は、必要に応じて増減しても良い。
【００２１】
カバー材１５はポリエチレン等、適当な弾性材料によって構成され、パネルサポート８の上面及び側面を覆う事ができる形状を有する。カバー材１５はパネルサポート８上面を覆うパネル載置面１６と、パネル載置面１６の四辺から垂下する壁面１７，１７，１７，１７が形成される。各壁面１７の中央部には、係止爪１８が設けられ、パネルサポート８と係合可能としている。パネル載置面１６の中央部にはパネル支持部材１０の筒状部１１に設けられる雄ネジ部１２やパネルサポート８の周状リブ部１３を挿通可能な挿通孔１９が形成され、四辺部中央部にはフロアパネルＦの隅部側面に当接してフロアパネルＦの位置決めをする位置決め突起２０が形成される。
【００２２】
パネルフィックス２１はＰＯＭ（ポリオキシメチレン／ポリアセタール）等の合成樹脂材料にて形成され、全体として円筒形をなす。パネルフィックス２１は、顎部２２と、顎部２２よりも小径の延長部２３とから構成され、顎部２２上面には、図４に示すように、専用工具（パネルフィックス着脱用治具Ｓ）に形成される一対の突起Ｓ１を引掛けて回動して、延長部２３内面に形成された雌ネジ２４とパネルサポート８の雄ネジ部１２とを螺合させるための回転用孔２５が複数設けられる。また、顎部２２上面の外周縁付近には、フロアパネルＦの上面に敷き詰められるカーペットＣの裏面に当接・係合するように突設されるカーペットずれ止め突起２６が一対設けられている。更に、顎部２２上面中央には細長状の中央挿通孔２７が設けられ、専用工具Ｓが無い場合でもマイナスドライバーを使ってパネルフィックス２１の回転操作を行えるようにしている。回転用孔２５や中央挿通孔２７を形成することにより、パネルフィックス２１の顎部２２上面の引けを抑え、平面状に形成することができ、パネルフィックス２１の仕上がりを良好なものとすることができる。
【００２３】
緩み止めネジ２８は、筒状部１１の雌ネジ部９に螺合可能かつ上面に六角孔が形成されたイモネジ状のネジである。
【００２４】
本考案のフロアパネルの支持脚１を利用してフロアパネルＦを設置・固定するには、まず、床面の所定位置に基台２の固定基板３を固定し、固定基板３に立設される支柱４に筒状部１１の雌ネジ部９が高さ調節可能に螺合した状態のパネル支持部材１０を回動し、所定の高さに位置させる。そして、緩み止めネジ２８を筒状部１１の上端側からねじ込んでその下面が支柱４の上端面７に当接するまで締め付ける。これによりパネル支持部材１０の支柱４に対する回動は抑制され、高さが一定に保たれる。
【００２５】
次に、パネルサポート８上面に設けられたカバー材１５上にフロアパネルＦの隅部を載置し、隣り合うフロアパネルＦの位置決めをした後、パネルフィックス着脱用治具Ｓによりパネルフィックス２１を締め付ける。パネルフィックス２１は、隣り合う４枚のフロアパネルＦの隅部によって画成された、全体として円形状の開口Ｆ１を介してパネル支持部材１０の雄ネジ部１２と螺合させ、締め付ける。パネルフィックス２１の締め付けにより、パネルフィックス２１の顎部２２の下面が、フロアパネルＦの隅部に形成されたフランジ部Ｆ２と当接し、パネルフィックス２１の下降と共にフランジ部Ｆ２を押し下げる。そして、パネルフィックス２１のねじ込み量が所定のねじ込み量（パネルフィックス２１の延長部２３の下端部と、パネルサポート８の周状リブ部１３とが当接する状態）になると、パネルフィックス２１をそれ以上回動させることができなくなり、これによりフロアパネルＦの固定は完了する。フランジ部Ｆ２は、パネルフィックス２１の顎部２２を収容すべく、段差状に形成され、開口Ｆ１とフランジ部Ｆ２とは壁部Ｆ４により連結される。
【００２６】
保守や点検等のためにフロアパネルＦを取り外すには、パネルフィックス着脱用治具Ｓによりパネルフィックス２１を逆方向（ネジ解除方向）に回動させ、パネルフィックス２１をパネル支持部材１０の筒状部１１の雄ネジ部１２から取り外した後、フロアパネルＦを取り外す。
【実施例２】
【００２７】
実施例２の構成は、図５乃至図７に示される。なお、実施例１と同一の部材については、同一の符号を付すと共に、説明を省略する。
【００２８】
実施例２では、カバー材１５のパネル載置面１６の四隅部に挿通孔２９を形成し、フロアパネルＦの隅部裏面に突設された位置決め突部（図示無し）を係合可能としている。また、位置決め突起２０を、隣り合うフロアパネルＦの隅部により形成される円形状の開口Ｆ１の円周に連接して形成されるフロアパネルパネルＦ同士の隙間Ｆ３に入り込むように突設される隙間埋め突部３０と、円形状の開口Ｆ１と、パネルフィックス２１の顎部２２を収容すべく段差状に形成されるフランジ部Ｆ２とを連結する壁部Ｆ４のフロアパネル裏面側に当接する当接突部３１とにより形成する。これにより、フロアパネルＦの位置決めがより確実なものとなり、容易にずれることがない。また、フロアパネルＦによっては、隅部裏面に位置決め突部が形成されていないものもあり、そのようなフロアパネルＦであっても、隙間埋め突部３０及び当接突部３１とで位置決め可能である。
【符号の説明】
【００２９】
Ｆ      フロアパネル
Ｆ１    開口
Ｆ２    フランジ部
Ｆ３    フロアパネル同士の隙間
Ｆ４    壁部
Ｓ      パネルフィックス着脱用治具
１      支持脚
２      基台
３      固定基板
４      支柱
５      孔
６      雄ネジ
７      上端面
８      パネルサポート
９      雌ネジ部
１０      パネル支持部
１１      筒状部
１２      雄ネジ部
１３      周状リブ部
１４      補強リブ
１５      カバー材
１６      パネル載置面
１７      壁面
１８      係止爪
１９      挿通孔
２０      位置決め突起
２１      パネルフィックス
２２      顎部
２３      延長部
２４      雌ネジ
２５      回転用孔
２６      カーペットずれ止め突起
２７      中央挿通孔
２８      緩み止めネジ
２９      挿通孔
３０      隙間埋め突部
３１      当接突部
【図１】
0003180796.tif 000003
【図２】
0003180796.tif 000004
【図３】
0003180796.tif 000005
【図４】
0003180796.tif 000006
【図５】
0003180796.tif 000007
【図６】
0003180796.tif 000008
【図７】
0003180796.tif 000009